(57)【要約】【課題】内容液をノズルから速やかに注出させることができ、なお且つ、液体の詰め替え作業が容易なキャップ付き容器を提供する。【解決手段】容器本体２の口頸部２ａに装着されて容器本体２に収容された液体を注出する注出キャップ３とを備え、注出キャップ３は、口頸部２ａの内側から上方に向かって立ち上がるノズル５と、ノズル５の基端部から周囲に広がる環状の底壁６と、ノズル５との間に空隙Ｒを隔てて底壁６の周囲から上方に向かって立ち上がる筒状の周壁７，８と、底壁６に向かって流れ落ちる液体を容器本体２内に戻す戻し口１０とを有し、ノズル５は、その基端側開口部５ａが先端側開口部５ｂよりも拡径された形状を有し、且つ、その基端側開口部５ａが先端側開口部５ｂの中心から容器本体２を傾ける側に偏倚して設けられ、戻し口１０は、容器本体２を傾ける側とは反対側に位置して設けられている。【選択図】図１
2007320601.tif 000002
【特許請求の範囲】
【請求項１】
口頸部が設けられた容器本体と、前記容器本体の口頸部に装着されて前記容器本体に収容された液体を注出する注出キャップとを備えたキャップ付き容器であって、
前記注出キャップは、前記口頸部の内側から上方に向かって立ち上がるノズルと、前記ノズルの基端部から周囲に広がる環状の底壁と、前記ノズルとの間に空隙を隔てて前記底壁の周囲から上方に向かって立ち上がる筒状の周壁と、前記底壁に向かって流れ落ちる液体を前記容器本体内に戻す戻し口とを有し、
前記ノズルは、その基端側開口部が先端側開口部よりも拡径された形状を有し、且つ、その基端側開口部が先端側開口部の中心から前記容器本体を傾ける側に偏倚して設けられ、
前記戻し口は、前記容器本体を傾ける側とは反対側に位置して設けられていることを特徴とするキャップ付き容器。
【請求項２】
前記ノズルの基端側開口部が、少なくとも前記容器本体を傾ける方向に拡径された形状を有することを特徴とする請求項１に記載のキャップ付き容器。
【請求項３】
前記ノズルは、その長さ方向の中途部から基端部に向かって傾斜する傾斜面部を有し、この傾斜面部が前記容器本体を傾ける側に位置して設けられていることを特徴とする請求項１又は２に記載のキャップ付き容器。
【請求項４】
前記傾斜面部は、前記注出キャップの開口周縁部よりも下方に位置して設けられていることを特徴とする請求項１乃至３の何れか一項に記載のキャップ付き容器。
【請求項５】
前記底壁は、前記容器本体を傾ける方向とは反対方向に傾斜して設けられていることを特徴とする請求項１乃至４の何れか一項に記載のキャップ付き容器。
【請求項６】
前記注出キャップに着脱自在に被せられると共に、前記注出キャップから取り外して前記ノズルから注出された液体を計り取る計量部が設けられた計量キャップを備えることを特徴とする請求項１乃至５の何れか一項に記載のキャップ付き容器。
【請求項７】
前記計量キャップには、前記注出キャップに被せた状態のまま前記容器本体に収容された液体を注出する注出口と、前記注出口を開閉する開閉手段とが設けられていることを特徴とする請求項１乃至６の何れか一項に記載のキャップ付き容器。
【請求項８】
前記開閉手段は、前記計量キャップにヒンジ部を介して回動可能に設けられたカバーキャップであり、前記ヒンジ部は、前記計量キャップの前記容器本体を傾ける側とは反対側に位置して設けられていることを特徴とする請求項７に記載のキャップ付き容器。
【請求項９】
前記容器本体に収容された液体が、少なくとも２質量％以上の界面活性剤を含む液体洗剤組成物又は液体漂白剤組成物であることを特徴とする請求項１乃至８の何れか一項に記載のキャップ付き容器。
【発明の詳細な説明】
【技術分野】
【０００１】
本発明は、キャップ付き容器の改良に関する。
【背景技術】
【０００２】
従来より、液体洗剤や液体漂白剤、柔軟仕上げ剤などの液体製品を容器本体に収容し、この容器本体に着脱自在に被せられるキャップを計量カップとして使用するキャップ付き容器がある（例えば特許文献１，２を参照）。
【０００３】
このようなキャップ付き容器は、例えば図８に示すように、内容液を収容する容器本体１００と、この容器本体１００から注出された内容液を計り取る計量部１０１ａが設けられた計量キャップ１０１と、この計量キャップ１０１に内容液を注出するための注出ノズル１０２ａが設けられた注出キャップ１０２とを備えている。また、注出キャップ１０２には、注出ノズル１０２ａの基端部から周囲に広がる環状の底壁１０２ｂと、注出ノズル１０２ａとの間に環状の空隙Ｒ’を隔てて底壁１０２ｂの周囲から上方に向かって立ち上がる筒状の周壁１０２ｃと、底壁１０２ｂに向かって流れ落ちる内容液を容器本体１００内に戻す戻し口１０２ｄとが設けられている。
【０００４】
そして、このような液体製品を用いて洗濯などを行う場合には、図９に示すように、計量キャップ１０１を注出キャップ１０２から取り外し、注出ノズル１０２ａから注出された内容液を計量キャップ１０１の計量部１０１ａで計り取った後に、洗濯機に投入するといった操作を行う。
【特許文献１】特開２０００−１６８８２１号公報
【特許文献２】特許第３０１５３４２号公報
【発明の開示】
【発明が解決しようとする課題】
【０００５】
ところで、このようなキャップ付き容器に入った液体製品では、資源の有効利用の観点から、内容液を使い切った後に、簡易包装された詰め替え容器を購入してきて、この詰め替え容器に収容された内容液をキャップ付き容器に詰め替えることにより、このキャップ付き容器を買い換えずに再利用するといったことが行われてきている。
【０００６】
上述したキャップ付き容器の詰め替え作業の際には、例えば図１０に示すように、詰め替え容器２００から注出された内容液を注出ノズル１０２ａと周壁１０２ｃとの間にある空隙Ｒ’から注ぎ入れるといった操作を行う。これにより、内容液が戻し口１０２ｄを通じて容器本体１００内に補充される。
【０００７】
しかしながら、従来のキャップ付き容器では、このような詰め替え作業の際に、注出ノズル１０２ａが邪魔となってしまい、上述した空隙Ｒ’に内容液をうまく注ぎ入れることができずに内容液を注出キャップ１０２の外側に溢してしまうことがあった。また、作業時間の短縮のため、上述した空隙Ｒ’に内容液を勢いよく注ぐと、内容液が注出キャップ１０２の外側に溢れ出すこともある。したがって、何れの場合も、注出キャップ１０２の周囲を内容液で汚してしまうといった問題が発生してしまう。
【０００８】
一方、上述した空隙Ｒ’に内容液を注ぎ入れ易くするためには、注出ノズル１０２ａを細くして空隙Ｒ’を大きく確保することが考えられる。しかしながら、注出ノズル１０２ａを細くすると、この注出ノズル１０２ａからの内容液の出が悪くなる。特に、粘度の高い内容液ほど注出ノズル１０２ａからの出が悪くなる。このため、上述した計量時に内容液の出が悪いと感じた使用者が内容液の出を良くしようと容器本体１００を大きく傾けたり、勢いよく傾けたりした場合に、戻し口１０２ｄから内溶液が飛び出してしまうといった問題も発生してしまう。
【０００９】
そこで、本発明は、このような従来の事情に鑑みて提案されたものであり、液体をノズルから速やかに注出させることができ、なお且つ、液体の詰め替え作業が容易なキャップ付き容器を提供することを目的とする。
【課題を解決するための手段】
【００１０】
この目的を達成するために、本発明に係るキャップ付き容器は、口頸部が設けられた容器本体と、容器本体の口頸部に装着されて容器本体に収容された液体を注出する注出キャップとを備え、注出キャップは、口頸部の内側から上方に向かって立ち上がるノズルと、ノズルの基端部から周囲に広がる環状の底壁と、ノズルとの間に空隙を隔てて底壁の周囲から上方に向かって立ち上がる筒状の周壁と、底壁に向かって流れ落ちる液体を容器本体内に戻す戻し口とを有し、ノズルは、その基端側開口部が先端側開口部よりも拡径された形状を有し、且つ、その基端側開口部が先端側開口部の中心から容器本体を傾ける側に偏倚して設けられ、戻し口は、容器本体を傾ける側とは反対側に位置して設けられていることを特徴とする。
本発明に係るキャップ付き容器では、ノズルの基端側開口部が先端側開口部よりも拡径された形状を有し、且つ、ノズルの基端側開口部が先端側開口部の中心から容器本体を傾ける側に偏倚して設けられ、戻し口が容器本体を傾ける側とは反対側に位置して設けられていることことから、詰め替え容器から注出された液体を注ぎ入れ易くするために、ノズルを細くし、このノズルと周壁との間に大きな空隙を確保した場合であっても、容器本体に収容された液体をノズルから速やかに注出させることができ、また、容器本体を傾けた際に戻し口から液体が飛び出すことを防ぐことができる。
【００１１】
また、ノズルの基端側開口部は、少なくとも容器本体を傾ける方向に拡径された形状を有することが好ましい。
この場合、ノズルと周壁との間に大きな空隙を確保しながら、容器本体に収容された液体をノズルから速やかに注出させることができる。
【００１２】
また、ノズルは、その長さ方向の中途部から基端部に向かって傾斜する傾斜面部を有し、この傾斜面部が容器本体を傾ける側に位置して設けられていることが好ましい。
この場合、容器本体を傾けた際に、この傾斜面部に沿って容器本体に収容された液体をノズルから速やかに注出させることができるため、容器本体を大きく傾けたり、急に傾けたりした場合でも、戻し口から液体が飛び出すことを防ぐことができる。
【００１３】
さらに、傾斜面部は、注出キャップの開口周縁部よりも下方に位置することが好ましい。
これにより、ノズルと周壁との間に大きな空隙を確保することができる。
【００１４】
また、底壁は、容器本体を傾ける方向とは反対方向に傾斜して設けられていることが好ましい。
この場合、底壁に向かって流れ落ちる液体を戻し口へと効率よく導くことができる。また、容器本体を大きく傾けたり、急に傾けたりした場合でも、戻し口から液体が飛び出しにくい構造とすることができる。
【００１５】
また、本発明に係るキャップ付き容器は、注出キャップに着脱自在に被せられると共に、注出キャップから取り外してノズルから注出された液体を計り取る計量部が設けられた計量キャップを備えた構成としてもよい。
この場合、計量キャップを注出キャップから取り外し、ノズルから注出された液体を計量キャップの計量部で計り取るといった操作を行うことができる。
【００１６】
また、計量キャップは、注出キャップに被せた状態のまま容器本体に収容された液体を注出する注出口と、この注出口を開閉する開閉手段とが設けられた構成としてもよい。
この場合、計量キャップを注出キャップに被せた状態のまま容器本体を傾けることによって、容器本体に収容された液体を注出口から注出させることができる。一方、計量キャップを取り外して液体を計り取る際には注出口からの液漏れを開閉手段により防ぐことができる。
【００１７】
また、開閉手段は、計量キャップにヒンジ部を介して回動可能に設けられたカバーキャップであることが好ましい。
この場合、カバーキャップがヒンジ部を介して計量キャップに連結されていることから、このカバーキャップを開蓋した際に無くしてしまうといったことを防ぐことができる。
また、ヒンジ部は、計量キャップの容器本体を傾ける側とは反対側に位置して設けられていることが好ましい。これにより、注出口から液体を注出する際にカバーキャップが邪魔とならないように、ヒンジ部とは反対側を下に向けて容器本体を傾けることになるため、使用者に対して容器本体を傾ける向きを通知させることができる。
【００１８】
また、本発明に係るキャップ付き容器では、容器本体に収容された液体が少なくとも２質量％以上の界面活性剤を含む液体洗剤組成物又は液体漂白剤組成物であっても、計量部内での泡の発生を防ぐことができる。
【発明の効果】
【００１９】
以上のように、本発明によれば、液体をノズルから速やかに注出させることができ、なお且つ、液体の詰め替え作業が容易なキャップ付き容器を提供することができる。
【発明を実施するための最良の形態】
【００２０】
以下、本発明を適用したキャップ付き容器について、図面を参照して詳細に説明する。
図１に示すように、本発明を適用したキャップ付き容器１は、例えば液体として液体洗剤が収容された容器本体２と、この容器本体２の口頸部２ａに装着される注出キャップ３と、この注出キャップ３に着脱自在に被せられる計量キャップ４とを備えている。
【００２１】
容器本体２は、例えばポリエチレン樹脂やポリプロピレン樹脂、ポリエステル樹脂などの合成樹脂材料をブロー成形によりボトル状に成形したものからなる。この容器本体２の底部から筒状に起立した胴部の上端部には、略円筒状に縮径された口頸部２ａが設けられている。また、口頸部２ａの外周面には、注出キャップ３を螺合により装着するためのネジ部２ｂが形成されている。なお、容器本体２の形状については、特に限定されないものの、使用する際に持ち易く且つ注出操作のし易い形状のもの、例えば取手を有するものが好ましい。
【００２２】
注出キャップ３は、例えばポリエチレン樹脂やポリプロピレン樹脂などの合成樹脂材料からなる。この注出キャップ３は、口頸部２ａの内側から上方に向かって立ち上がる注出ノズル５と、注出ノズル５の基端部から周囲に広がる環状の底壁６と、注出ノズル５との間に空隙Ｒを隔てて底壁６の周囲から上方に向かって立ち上がる筒状の下部内周壁７と、下部内周壁７の上方に位置して計量キャップ４が着脱自在に装着される上部内周壁８と、内周壁８の外側に位置して口頸部２ａに着脱自在に装着される外周壁９とを有している。
【００２３】
このうち、注出ノズル５は、注出キャップ３内の略中央位置において、この注出キャップ３の開口周縁部よりも上方に突出して設けられている。また、注出ノズル５は、その基端側開口部５ａが先端側開口部５ｂよりも拡径された形状を有し、且つ、その基端側開口部５ａが先端側開口部５ｂの中心から容器本体２を傾ける側に偏倚して設けられている。
【００２４】
具体的に、この注出ノズル５は、図１に示すように、その先端部から長さ方向の中途部までほぼ同径とされると共に、その先端部が斜めにカットされた形状を有している。また、斜めにカットされた注出ノズル５の先端部は、容器本体２を傾ける側に位置している。これにより、キャップ付き容器１では、容器本体２を傾けた状態から正立状態に戻したときに、注出ノズル５の先端部における液切れを良くすることができる。
【００２５】
また、注出ノズル５は、その長さ方向の中途部から基端部に向かって傾斜する傾斜面部５ｃを有し、この傾斜面部５ｃが容器本体２を傾ける側に位置して設けられている。また、この傾斜面部５ｃは、注出キャップ３（上部内周壁８）の開口周縁部よりも下方に位置して、容器本体２を傾ける方向に傾斜して設けられている。これにより、注出ノズル５は、その長さ方向の中途部から基端部まで容器本体２を傾ける方向に漸次拡径された形状を有している。
【００２６】
したがって、この注出ノズル５を平面的に見たとき、図２に示すように、基端側開口部５ａは、容器本体２を傾ける方向に拡径された楕円形となり、先端側開口部５ｂは、円形となっている。また、基端側開口部５ａの長軸方向の長さ（長径）は、先端側開口部５ｂよりも大径であり、基端側開口部５ａの短軸方向の長さ（短径）は、先端側開口部５ｂとほぼ同径である。
【００２７】
底壁６は、容器本体２を傾ける方向とは反対方向に傾斜して設けられている。そして、この底壁６の下端部は、注出ノズル５や計量キャップ４に付着した液体洗剤を回収するための液溜め部６ａを形成している。液溜め部６ａには、この液溜め部６ａに溜まった液体洗剤を容器本体２内に戻すための戻し口１０が設けられている。この戻し口１０は、底壁６に向かって流れ落ちる液体洗剤を容器本体２内に戻すためのものであり、容器本体２の内部と連通される部分（貫通孔）である。また、戻し口１０は、容器本体２を傾ける側とは反対側に位置して、所定の幅（５ｍｍ〜１５ｍｍ）で注出ノズル５を中心に所定の角度範囲（５゜〜９０゜）に亘って略円弧状に形成されている。戻し口１０は、このような形状を有することによって、液体洗剤を容器本体２の内部へと速やかに戻すことができる。なお、戻し口１０は、容器本体２を傾ける側とは反対側であれば、注出ノズル５、底壁６、又は下部内周壁７に設けることも、或いはそれらの間に亘って設けることもできる。
【００２８】
下部内周壁７は、口頸部２ａの内側に挿入される部分であり、環状の空隙Ｒを隔てて注出ノズル５の周囲を囲むように設けられている。上部内周壁８は、この下部内周壁７の上端部から段差部１１を介して更に口頸部２ａよりも上方に向かって略円筒状に立ち上がり形成されている。また、上部内周壁８の外周面には、計量キャップ４を螺合により着脱自在とするためのネジ部８ａが形成されている。外周壁９は、上部内周壁８のネジ部８ａよりも下方に位置するフランジ部１２を介して下方に向かって略円筒状に垂下されている。また、外周壁９の内周面には、上述した口頸部２ａのネジ部２ｂに螺合されるネジ部９ａが形成されている。これにより、注出キャップ３は、容器本体２の口頸部２ａに対して着脱自在に装着することが可能となっている。
【００２９】
計量キャップ４は、例えばポリエチレン樹脂やポリプロピレン樹脂などの合成樹脂材料からなる。この計量キャップ４は、注出キャップ３から取り外して注出ノズル５から注出された液体洗剤を計り取る計量部４ａと、注出キャップ３に被せた状態のまま容器本体２に収容された液体洗剤を注出する注出口１３とを有している。
【００３０】
具体的に、この計量キャップ４は、計量部４ａの底面部を構成する天板部１４と、計量部４ａの側面部を構成する内筒部１５と、内筒部１５の外側に位置して注出キャップ３に着脱自在に装着される外筒部１６とを有している。
【００３１】
このうち、天板部１４は、内筒部１５と一体に形成されて内筒部１５の上面部を閉塞している。また、天板部１４には、上述した注出ノズル５の先端側開口部５ｂに対向する注出口１３が設けられている。具体的に、この注出口１３は、上述した注出ノズル５の先端側開口部５ｂよりも小径であり、先端側開口部５ｂの内側に臨んで設けられている。さらに、この注出口１３は、先端側開口部５ｂの中心から容器本体２を傾ける側に偏倚して設けられている。なお、注出口１３は、容器本体２に収容された液体洗剤を衣服の襟や袖などに直接塗布できるように、例えば天板部１４から上方に向かって僅かに突出したノズル形状を有している。
【００３２】
天板部１４の下面部には、注出ノズル５の先端部が嵌合される嵌合部１７が設けられている。この嵌合部１７は、天板部１４の下面部に形成された凹部であり、この凹部の底面部に注出口１３が形成されている。なお、嵌合部１７は、このような凹部に限らず、例えば注出口１３の周囲から円筒状に垂下される突起部を形成し、この突起部の内側に注出ノズル５の先端部が嵌合される構成としてもよい。
【００３３】
天板部１４の上面部には、注出口１３を開閉する開閉手段であるカバーキャップ１８がヒンジ部１８ａを介して回動可能に設けられている。このカバーキャップ１８は、天板部１４とは別体に形成されており、天板部１４に装着される装着部１８ｂと、注出口１３を閉塞する蓋部１８ｃとがヒンジ部１８ａにより連結された構造を有している。このうち、装着部１８ｂには、注出口１３を外部に臨ませる開口部１８ｄが設けられ、蓋部１８ｃの天板部１４と対向する面には、注出口１３を閉塞する栓部１８ｅが突出して設けられている。なお、このカバーキャップ１８は、計量キャップ４と一体に形成することも可能である。
【００３４】
計量キャップ４は、このようなカバーキャップ１８を設けることによって、容器本体２から注出された液体を計り取る際に注出口１３からの液漏れを確実に防ぐことができる。また、カバーキャップ１８は、ヒンジ部１８ａを介して計量キャップ４に連結されていることから、このカバーキャップ１８を開蓋した際に無くしてしまうといったことを防ぐことができる。
また、ヒンジ部１８ａは、計量キャップ４の容器本体２を傾ける側とは反対側の側面部に位置して設けられている。この場合、注出口１３から液体洗剤を注出する際にカバーキャップ１８が邪魔とならないように、ヒンジ部１８ａとは反対側を下に向けて容器本体２を傾けることになるため、使用者対して容器本体２を傾ける向きを通知させることができる。
【００３５】
内筒部１５は、天板部１４の下面から注出ノズル５の周囲を囲むように垂下されている。外筒部１６は、内筒部１５の外周面の中途部に位置するフランジ部１９を介して下方に向かって略円筒状に垂下されている。また、外筒部１６の内周面には、上述した上部内周壁８のネジ部８ａに螺合されるネジ部１６ａが形成されている。これにより、計量キャップ４は、注出キャップ３に対して着脱自在に被せることが可能となっている。
【００３６】
なお、計量キャップ４は、計量部４ａによる計量を行い易くするため、透明であることが好ましく、内筒部１５の側面部には、容量表示のための目盛り（図示せず。）が設けられている。また、外筒部１６の外周面には、この計量キャップ４を回す際の滑り止めとなる複数の縦溝２０が全周に亘って設けられている。
また、計量キャップ４は、このような注出キャップ３の外側に嵌合される外嵌合型に限らず、注出キャップ３の内側に嵌合される内嵌合型であってもよい。
【００３７】
以上のようなキャップ付き容器１を用いて洗濯などを行う場合には、カバーキャップ１８を閉じた計量キャップ４を注出キャップ３から取り外し、容器本体２を傾けて注出ノズル５から注出された液体洗剤を計量キャップ４の計量部４ａで計り取った後に、洗濯機に投入するといった操作を行う。
【００３８】
一方、このキャップ付き容器１では、計量キャップ４を注出キャップ３に被せた状態のままカバーキャップ１８を開き、容器本体２を傾けることによって、注出ノズル５から注出された液体洗剤を注出口１３から注出するといった操作も行うことができる。
【００３９】
ところで、本発明を適用したキャップ付き容器１では、上述した図１に示すように、注出ノズル５の基端側開口部５ａが先端側開口部５ｂよりも拡径された形状を有することから、この注出ノズル５を細くして、注出ノズル５と下部及び上部内周壁７，８との間に大きな空隙Ｒを確保することができる。これにより、詰め替え容器から注出された液体洗剤を空隙Ｒから注ぎ入れ易くなり、詰め替え作業が容易なものとなる。すなわち、詰め替え作業の際に、詰め替え容器の注ぎ口を注出ノズル５と下部及び上部内周壁７，８との間に深く進入させることができるため、この詰め替え容器から注出された液体洗剤を注出キャップ３の外側に溢してしまうといったことを防ぐことができる。また、作業時間の短縮のため、詰め替え容器から液体洗剤を勢いよく注いだ場合でも、上述した空隙Ｒ（液の滞留容積）を大きく確保することによって、液体洗剤が注出キャップ３の外側に溢れ出すといったことを防ぐことができる。
【００４０】
また、このキャップ付き容器１では、注出ノズル５の基端側開口部５ａが先端側開口部５ｂの中心から容器本体２を傾ける側に偏倚して設けられていることから、図３に示すように、容器本体２を傾けた際に、この容器本体２に収容された液体洗剤を注出ノズル５内に導き易くなっている。これにより、容器本体２に収容された液体洗剤を注出ノズル５から速やかに注出させることができる。さらに、このキャップ付き容器１では、戻し口１０が容器本体２を傾ける側とは反対側に位置して設けられていることことから、容器本体２を傾けた際に、この容器本体２に収容された液体洗剤が戻し口１０から飛び出しにくくなっている。
【００４１】
また、本発明を適用したキャップ付き容器１では、注出ノズル５の基端側開口部５ａが少なくとも容器本体２を傾ける方向に拡径された形状を有することが好ましい。この場合、上述した空隙Ｒを大きく確保しながら、容器本体２に収容された液体洗剤を注出ノズル５から速やかに注出させることができる。
【００４２】
また、本発明を適用したキャップ付き容器１では、注出ノズル５の容器本体２を傾ける側に、上述した傾斜面部５ｃを設けることによって、容器本体２を傾けた際に、この傾斜面部５ｃに沿って液体洗剤をノズルから速やかに注出させることができる。さらに、容器本体２を大きく傾けたり、急に傾けたりした場合でも、この傾斜面部５ｃが形成された注出ノズル５の基端側の内部空間がバッファとなって、戻し口１０から液体洗剤が飛び出すことを防ぐことができる。
【００４３】
また、この傾斜面部５ｃは、注出キャップ３（上部内周壁８）の開口周縁部よりも下方に位置することが好ましい。これにより、上述した注出ノズル５と上部内周壁８との間に大きな空隙Ｒを確保することができる。
【００４４】
また、本発明を適用したキャップ付き容器１では、上述した容器本体２を傾ける方向とは反対方向に傾斜した底壁６を設けることによって、この底壁６に向かって流れ落ちる液体洗剤を戻し口１０へと効率よく導くことができる。また、容器本体２を大きく傾けたり、急に傾けたりした場合でも、戻し口１０から液体洗剤が飛び出しにくい構造とすることができる。
【００４５】
以上のようにして、本発明では、液体洗剤を注出ノズル５から速やかに注出させることができ、なお且つ、液体洗剤の詰め替え作業が容易なキャップ付き容器１を提供することができる。
【００４６】
なお、本発明は、上記実施形態のものに必ずしも限定されるものではなく、本発明の趣旨を逸脱しない範囲において種々の変更を加えることが可能である。
例えば図４に示す注出キャップ３のように、注出ノズル５からの液体洗剤の注出性を良くするため、上述した傾斜面部５ｃを図１に示す場合よりも注出ノズル５の先端側から底壁６に向かって容器本体２を傾ける方向に緩やかに傾斜させた形状とすることも可能である。
【００４７】
また、上述した注出ノズル５の形状は、ほんの一例であり、その基端側開口部５ａが先端側開口部５ｂよりも拡径された形状を有し、且つ、その基端側開口部５ａが先端側開口部５ｂの中心から容器本体２を傾ける側に偏倚して設けられている形状であれば、例えば、注出ノズル５の基端側開口部５ａを円形としたり、この基端側開口部５ａの形状以外にも、先端側開口部５ｂの形状を変更したりすることも可能である。
また、注出ノズル５は、その長さ方向の中途部から基端部まで容器本体２を傾ける方向に拡径された形状に加えて、容器本体２を傾ける方向と直交する方向に漸次拡径された形状とすることも可能である。この場合、上述した注出ノズル５のバッファ部分を拡大することができる。なお、このとき基端側開口部５ａの形状は、容器本体２を傾ける方向に加えて、容器本体２を傾ける方向と直交する方向において、先端側開口部５ｂよりも拡径された形状となっている。
なお、注出ノズル５には、容器本体２を傾ける側とは反対側を先端部から基端部に向かって切り欠くスリットを設けることも可能である。
【００４８】
また、上記実施形態では、計量キャップ４の注出口１３を開閉する開閉手段として、上述した図１に示すカバーキャップ１８が設けられた構成となっているが、このようなカバーキャップ１８の代わりに、例えば図５に示すようなターレット型のキャップ開閉機構３０を計量キャップ４に設けた構成としてもよい。
【００４９】
具体的に、このキャップ開閉機構３０は、例えば衣服の襟や袖などの部分的な汚れに対して液体洗浄剤を直接塗布することができる塗布ノズル３１を有し、この塗布ノズル３１は、上記計量キャップ４の天板部１４に基端部が回動可能に取り付けられている。一方、上記計量キャップ４の天板部１４には、この塗布ノズル３１を収納するための収納凹部３２が設けられており、この収納凹部３２の底部に上記注出口１３（図５において図示せず。）が配置されている。塗布ノズル３１は、収納凹部３２に収納される収納位置と、収納凹部３２の側面に当接されて回動が阻止される起立位置との間で略９０゜の角度範囲に亘って回動可能となっている。そして、この塗布ノズル３１は、回動操作によって収納凹部３２に収納された状態にあるとき、収納凹部３２に密着嵌合されることで注出口１３を閉塞する。一方、この塗布ノズル３１は、回動操作によって収納凹部３２から起立した状態にあるとき、その基端部が収納凹部３２に密着嵌合することで注出口１３と連通された状態となる。これにより、注出口１３を通じて塗布ノズル３１の先端から液体洗剤を注出することが可能となっている。
以上のようにして、このキャップ開閉機構３０では、塗布ノズル３１の回動操作によって計量キャップ４の注出口１３を開閉することが可能となっている。なお、塗布ノズル３１の先端部には、収納位置にて計量キャップ４よりも外側に張り出した鍔部３３が設けられている。塗布ノズル３１は、この鍔部３３によって収納凹部３２から容易に起立させることが可能となっている。
【００５０】
また、本発明では、例えば図６に示すようなプッシュプル型のキャップ開閉機構４０を計量キャップ４に設けた構成としてもよい。このキャップ開閉機構４０は、中央部にノズル４１ａが設けられたプッシュプルキャップ４１を有し、このプッシュプルキャップ４１は、上記計量キャップ４の天板部１４に取り付けられて、上下方向にスライド（プッシュプル）可能となっている。一方、上記計量キャップ４の天板部１４には、このプッシュプルキャップ４１を収納するための収納凹部４２が設けられており、この収納凹部４２の底部に上記注出口１３（図６において図示せず。）が配置されている。そして、このプッシュプルキャップ４１は、押し込み（プッシュ）操作によって収納凹部４２に収納された状態にあるとき、注出口１３を閉塞する。一方、このプッシュプルキャップ４１は、引張り（プル）操作によって収納凹部４２から突出した状態にあるとき、注出口１３を開放し、この注出口１３を通じてノズル４１ａの先端から液体洗剤を注出することが可能となっている。
以上のようにして、このキャップ開閉機構４０では、プッシュプルキャップ４１のプッシュプル操作によって計量キャップ４の注出口１３を開閉することが可能となっている。なお、プッシュプルキャップ４１の側面部には、このプッシュプルキャップ４１を引き出す際の滑り止めとなる複数の横溝４３が設けられている。
【００５１】
また、本発明では、例えば図７に示すようなトグル型のキャップ開閉機構５０を計量キャップ４に設けた構成としてもよい。このキャップ開閉機構５０は、側面部に注ぎ口５１ａが設けられたトグルキャップ５１を有し、このトグルキャップ５１は、上記計量キャップ４の天板部１４に揺動可能に取り付けられている。一方、上記計量キャップ４の天板部１４には、このトグルキャップ５１を収納するための収納凹部５２が設けられており、この収納凹部５２の底部に上記注出口１３（図７において図示せず。）が配置されている。そして、このトグルキャップ５１は、図７Ａに示すように、揺動操作によって注ぎ口５１ａ側が収納凹部５２に収納された状態にあるとき、注出口１３を閉塞する。一方、このトグルキャップ５１は、図７Ｂに示すように、揺動操作によって注ぎ口５１ａ側が収納凹部５２から突出した状態にあるとき、注出口１３を開放し、この注出口１３を通じて注ぎ口５１ａから液体洗剤を注出することが可能となっている。
以上のようにして、このキャップ開閉機構５０では、トグルキャップ５１の揺動操作によって計量キャップ４の注出口１３を開閉することが可能となっている。
【００５２】
また、本発明では、上述したキャップ開閉機構３０，４０，５０以外にも、スクリュー型のキャップ開閉機構を計量キャップ４に設けた構成とすることも可能である。さらに、上述した計量キャップ４に注出口１３を設けた構成以外にも、このような注出口１３を計量キャップ４に設けない構成や、上述した計量部４ａが設けられた計量キャップ４の代わりに、このような計量部４ａを設けないオーバーキャップを注出キャップ３に着脱自在に被せる構成とすることも可能である。
【００５３】
なお、上記キャップ付き容器１に収容される液体（内容液）については、従来より一般に使用されている液体洗剤の他に、液体漂白剤などを収容することができる。また、本発明を適用したキャップ付き容器１では、容器本体２に収容された液体が少なくとも２質量％以上の界面活性剤を含む液体洗剤組成物又は液体漂白剤組成物であっても、計量部４ａ内での泡の発生を防ぐことができる。
【００５４】
界面活性剤としては、液体洗剤や液体漂白剤などにおいて従来より一般に使用されているものであれば特に限定されるものではなく、１種又は２種以上を適宜組み合わせて使用することができる。内容液に含まれる界面活性剤の総量については、２質量％以上であることが性能上好ましい。界面活性剤の中でも特にノニオン界面活性剤である下記一般式（１）で表されるポリオキシエチレンアルキルエーテルを用いることが好ましく、このようなノニオン界面活性剤を１種又は２種以上組み合わせて使用することができる。
【００５５】
Ｒ１−Ｏ−（ＣＨ２ＣＨ２Ｏ）ｎ−Ｈ  …（１）
【００５６】
なお、式（１）中、Ｒ１はアルキル基を示し、ｎはエチレンオキサイド（ＥＯ）の平均付加モル数を示す。
このポリオキシエチレンアルキルエーテルにおいて、アルキル基は、直鎖状でも分岐を有するものであってもよい。また、アルキル基の炭素数は７〜１６であり、好ましくは１０〜１６であり、更に好ましくは１２〜１４である。具体的なアルキル基としては、例えばヘプチル基、オクチル基、ノニル基、デシル基、ウンデシル基、ドデシル基、トリデシル基、テトラデシル基、ペンタデシル基、ヘキサデシル基などを挙げることができる。
【００５７】
次に、本発明を適用したキャップ付き容器１に収容される液体漂白剤組成物の実施例として具体的な配合例を表１に示して詳しく説明するが、本発明はこの実施例に限定されるものではない。また、特に断りがないときの％は質量％とする。
【００５８】
【表１】
2007320601.tif 000003
【００５９】
表１中に記載した各成分は、次のとおりである。
過酸化水素：三菱瓦斯化学社製、３５％水溶液
ヒドロキシエタンジホスホン酸：エチレンジアミンテトラキスメチレンホスホン酸、商品名ＢＲＩＱＵＥＳＴ４２２、オルブライトウィルソン社製、６０％品
４−メトキシフェノール：商品名ＭＱ−Ｆ、川口化学社製、１００％品
ポリオキシエチレンアルキルエーテル：ノニオン界面活性剤、ライオン社製、Ｙｉは、上記一般式（１）のノニオン界面活性剤の合計質量に対するｎａｖ−２からｎａｖ＋２の範囲に含まれるノニオン界面活性剤の合計質量の割合である。Ｙｉ＝８４％、アルキル基Ｃ１２、ＥＯ平均付加モル数＝５、９０％品
ＬＡＳ−Ｈ：炭素数１０〜１４のアルキルベンゼンスルホン酸、商品名ライポンＬＨ−２００、ライオン社製、９６％品
Ａｏｓ−Ｎａ：炭素数１４のα−オレフィンスルホン酸ナトリウム、商品名リポランＬＢ−４４０、ライオン社製、３８％品
４ホウ素酸Ｎａ５水塩：四ホウ酸ナトリウム５水和物、商品名ＢＯＲＡＸ、ＢＯＲＡＸ社製、１００％品
水酸化ナトリウム：旭硝子社製、２５％品
硫酸：日産化学工業社製、６２．５％品
香料：特開２００３−３６８３９８号公報、表７〜１４に記載の香料組成物Ａ
【産業上の利用可能性】
【００６０】
本発明は、計量カップとして使用できるキャップを備えたキャップ付き容器に対して幅広く適用することが可能であり、上述した液体洗剤組成物や液体漂白剤組成物を収容したもの以外にも、その他の液体製品や、薬品、食品等といった中で計量を必要とする液体を収容したものに対して好適に用いることが可能である。
さらに、本発明は、口頸部が設けられた容器本体と、この容器本体の口頸部に装着されて容器本体に収容された液体を注出する注出キャップとを備えたキャップ付き容器に対して幅広く適用することが可能である。
【図面の簡単な説明】
【００６１】
【図１】図１は、本発明を適用したキャップ付き容器の一例を示す断面図である。
【図２】図２は、図１に示すキャップ付き容器の要部を示す平面図である。
【図３】図３は、図１に示すキャップ付き容器の注出時の状態を示す断面図である。
【図４】図４は、本発明を適用したキャップ付き容器の変形例を示す断面図である。
【図５】図５は、ターレット型のキャップ開閉機構を示す斜視図である。
【図６】図６は、プッシュプル型のキャップ開閉機構を示す斜視図である。
【図７】図７は、トグル型のキャップ開閉機構を示す斜視図であり、Ａはその閉塞時であり、Ｂはその開放時である。
【図８】図８は、従来のキャップ付き容器の一例を示す断面図である。
【図９】図９は、キャップ付き容器の計量時の状態を示す斜視図である。
【図１０】図１０は、キャップ付き容器の詰め替え時の状態を示す斜視図である。
【符号の説明】
【００６２】
１…キャップ付き容器  ２…容器本体  ３…注出キャップ  ４…計量キャップ  ４ａ…計量部  ５…注出ノズル  ５ａ…基端側開口部  ５ｂ…先端側開口部  ５ｃ…傾斜面部  ６…底壁  ６ａ…液溜め部  ７…下部内周壁  ８…上部内周壁  ９…外周壁  １０…戻し口  １３…注出口  １４…天板部  １５…内筒部  １６…外筒部  １７…嵌合部  １８…カバーキャップ
【図１】
2007320601.tif 000004
【図２】
2007320601.tif 000005
【図３】
2007320601.tif 000006
【図４】
2007320601.tif 000007
【図５】
2007320601.tif 000008
【図６】
2007320601.tif 000009
【図７】
2007320601.tif 000010
【図８】
2007320601.tif 000011
【図９】
2007320601.tif 000012
【図１０】
2007320601.tif 000013